(57)【要約】【課題】ストリームパケットの受信側において、誤り訂正符号により訂正不可能なＴＳパケットが存在した場合にも、次のＴＳパケットを復元し得るストリームパケット送出装置を提供する。【解決手段】誤り訂正付加装置１２によるＴＳパケットに対する誤り訂正符号の付加処理に先立ち、符号化装置１１にて映像信号から生成したＴＳパケットのペイロード部のデータ先頭にＭＰＥＧ４で規定されるＲｅｓｙｎｃ  Ｍａｒｋｅｒを挿入するようにしている。【選択図】    図１
2005064574.tif 000002
【特許請求の範囲】
【請求項１】
映像信号から少なくともヘッダ領域及び符号化データを挿入する情報領域を備える放送用に規格化されたストリームパケットを生成し、このストリームパケットに該ストリームパケットの誤り訂正を行うための誤り訂正情報を付加して送出するストリームパケット送出装置であって、
前記ストリームパケットを生成する際、前記情報領域のデータ先頭に前記ストリームパケットを復元するときに該ストリームパケットの情報領域の符号化データを特定する再同期ワード情報を挿入する再同期ワード情報挿入手段を備え、
前記ストリームパケットの受信側で、前記誤り訂正情報により該ストリームパケットの復元が不可能な場合に、次のストリームパケットの情報領域に挿入された再同期ワード情報に基づいて該ストリームパケットを復元させることを特徴とするストリームパケット送出装置。
【請求項２】
前記ストリームパケットがＭＰＥＧ２（Ｍｏｖｉｎｇ  Ｐｉｃｔｕｒｅ  Ｃｏｄｉｎｇ  Ｅｘｐｅｒｔｓ  Ｇｒｏｕｐ  ２）で規定され、ＴＳ（Ｔｒａｎｓｐｏｒｔ  Ｓｔｒｅａｍ）ヘッダ部、アダプテーションフィールド部及びペイロード部を備えるＴＳパケットであるとき、前記再同期ワード情報挿入手段は、前記ペイロード部のデータ先頭にＭＰＥＧ４で規定されるＲｅｓｙｎｃ  Ｍａｒｋｅｒを挿入するようにしたことを特徴とする請求項１記載のストリームパケット送出装置。
【請求項３】
映像信号から少なくともヘッダ領域及び符号化データを挿入する情報領域を備える放送用に規格化されたストリームパケットを生成し、このストリームパケットに該ストリームパケットの誤り訂正を行うための誤り訂正情報を付加して送出するストリームパケット送出方法であって、
前記ストリームパケットを生成する際、前記情報領域のデータ先頭に前記ストリームパケットを復元するときに該ストリームパケットの情報領域の符号化データを特定する再同期ワード情報を挿入するようにし、
前記ストリームパケットの受信側で、前記誤り訂正情報により該ストリームパケットの復元が不可能な場合に、次のストリームパケットの情報領域に挿入された再同期ワード情報に基づいて該ストリームパケットを復元させるようにしたことを特徴とするストリームパケット送出方法。
【発明の詳細な説明】
【０００１】
【発明の属する技術分野】
この発明は、デジタル圧縮処理技術を用いた符号化装置に係り、例えば映像信号をＭＰＥＧ４（Ｍｏｖｉｎｇ  Ｐｉｃｔｕｒｅ  Ｃｏｄｉｎｇ  Ｅｘｐｅｒｔｓ  Ｇｒｏｕｐ  ４）によりＴＳ（Ｔｒａｎｓｐｏｒｔ  Ｓｔｒｅａｍ）を生成し誤り訂正符号を付加して送出するストリームパケット送出装置及びストリームパケット送出方法に関する。
【０００２】
【従来の技術】
近年、デジタル放送技術の確立に伴い、通信衛星や放送衛星を使用する衛星放送システムではデジタル放送が開始され、さらに地上波放送システムにおいてもデジタル放送への移行が計画されている。デジタル放送は、デジタル圧縮技術の採用により多チャンネル化が可能であり、また画質の向上や双方向データ放送の実現などが可能になるという、アナログ放送にはない優れた特徴を有する。
【０００３】
上記デジタル放送システムの放送局では、放送すべき映像信号をＭＰＥＧ２（Ｍｏｖｉｎｇ  Ｐｉｃｔｕｒｅ  Ｃｏｄｉｎｇ  Ｅｘｐｅｒｔｓ  Ｇｒｏｕｐ  ２）のＴＳ（Ｔｒａｎｓｐｏｒｔ  Ｓｔｒｅａｍ）に生成し、誤り訂正符号を付加して送出するようにしている。このＭＰＥＧ２のＴＳには、ＴＳヘッダ部とアダプテーションフィールド部とペイロード部とがある。ＴＳヘッダ部には、ＴＳの先頭部を示す同期バイトの他、ＴＳヘッダ部に続くデータの内容などが含まれる。アダプテーションフィールド部にはシステムの時間情報を示すＰＣＲ（Ｐｒｏｇｒａｍ  Ｃｌｏｃｋ  Ｒｅｆｅｒｅｎｃｅ）などが含まれる。ペイロード部には映像信号を符号化したＥＳ（Ｅｌｅｍｅｎｔａｒｙ  Ｓｔｒｅａｍ）が存在する（例えば特許文献１）。
【０００４】
【特許文献１】
特願平１１−２７４６９５号。
【０００５】
【発明が解決しようとする課題】
ところで、上記デジタル放送では、受信装置においてＴＳパケットに付加されている誤り訂正符号を用いてもＴＳパケットを復元できない場合に、その後に続く数個のＴＳパケットが廃棄されてしまうことになる。つまり、ＴＳパケットは、フレーム内符号化によるＩピクチャーと、フレーム間順方向予測符号化によるＰピクチャーと、双方向予測符号化によるＢピクチャーとを有するＧＯＰ（Ｇｒｏｕｐ  Ｏｆ  Ｐｉｃｔｕｒｅｓ）構造を持っており、誤り訂正が不可能な場合に、次のＩピクチャーまでの複数ＴＳパケットが廃棄されてしまうことになる。すると、映像再生時に画面が乱れたり、再生が途絶える等の不具合が生じることになる。
【０００６】
そこで、この発明の目的は、誤り訂正符号により訂正不可能なＴＳパケットが存在した場合にも、次のＴＳパケットの符号化データを確実に復号し得るストリームパケット送出装置及びストリームパケット送出方法を提供することにある。
【０００７】
【課題を解決するための手段】
この発明は、上記目的を達成するために、以下のように構成される。
（１）映像信号から少なくともヘッダ領域及び符号化データを挿入する情報領域を備える放送用に規格化されたストリームパケットを生成し、このストリームパケットに該ストリームパケットの誤り訂正を行うための誤り訂正情報を付加して送出するストリームパケット送出装置であって、ストリームパケットを生成する際、情報領域のデータ先頭にストリームパケットを復号するときに該ストリームパケットの情報領域の符号化データを特定する再同期ワード情報を挿入する再同期ワード情報挿入手段を備え、ストリームパケットの受信側で、誤り訂正情報により該ストリームパケットの復元が不可能な場合に、次のストリームパケットの情報領域に挿入された再同期ワード情報に基づいて該ストリームパケットを復元させるようにしたものである。
【０００８】
（１）の構成によれば、ストリームパケットに対する誤り訂正情報の付加処理に先立ち、ストリームパケットの情報領域のデータ先頭にストリームを復元するときに該ストリームパケットを特定する再同期ワード情報を挿入するようにしているので、受信装置側で誤り訂正情報によりストリームパケットの誤り訂正が不可能な場合に、ＧＯＰ構造のＩピクチャーまでの複数のストリームパケットが廃棄されることがなく、誤りが生じたストリームパケットの次のストリームパケットに挿入された再同期ワード情報を利用してストリームパケットの情報領域の符号化データを復号することができる。
【０００９】
従って、受信装置側におけるストリームパケット内の符号化データの復号処理を、誤り訂正情報のみに頼ることなく、ストリームパケット内の再同期ワード情報を利用することで、ストリームパケットに如何なる誤りが生じてもパケット単位で復号することができ、これにより映像再生時に、画面が乱れたり、再生が途絶える等の不具合を解消できる。
【００１０】
（２）ストリームパケットがＭＰＥＧ２（Ｍｏｖｉｎｇ  Ｐｉｃｔｕｒｅ  Ｃｏｄｉｎｇ  Ｅｘｐｅｒｔｓ  Ｇｒｏｕｐ  ２）で規定され、ＴＳ（Ｔｒａｎｓｐｏｒｔ  Ｓｔｒｅａｍ）ヘッダ部、アダプテーションフィールド部及びペイロード部を備えるＴＳパケットであるとき、再同期ワード情報挿入手段は、ペイロード部のデータ先頭にＭＰＥＧ４で規定されるＲｅｓｙｎｃ  Ｍａｒｋｅｒを挿入するようにしたことを特徴とする。
【００１１】
（２）の構成によれば、ＴＳパケットに対する誤り訂正情報の付加処理に先立ち、ＴＳパケットのペイロード部のデータ先頭にＭＰＥＧ４で規定されるＲｅｓｙｎｃ  Ｍａｒｋｅｒを挿入することで、受信装置において、誤り訂正情報により符号化データの復号が不可能な場合に、ペイロード部内のＲｅｓｙｎｃ  Ｍａｒｋｅｒを利用してＴＳパケット内の符号化データを全て復号することができる。
【００１２】
【発明の実施の形態】
以下、この発明の実施形態について図面を参照して詳細に説明する。
図１は、この発明に係わるストリームパケット送出装置の一実施形態を示すブロック図である。
【００１３】
図１において、放送すべき映像信号は、符号化装置１１によりＭＰＥＧ２符号化方式による圧縮符号化処理が施されてＴＳパケットに生成された後、誤り訂正付加装置１２にて１６バイトの誤り訂正符号がＴＳパケット毎に付加された後、放送サービスエリアに向けて送出される。
【００１４】
図２は、上記符号化装置１１の具体的構成を示すブロック図である。
図２において、データバス２１上には入力インタフェース部（入力Ｉ／Ｆ）２２、ＣＰＵ２３、ＲＡＭ２４、出力インタフェース部（出力Ｉ／Ｆ）２５が接続される。
【００１５】
入力インタフェース部２２は、放送すべき映像信号を取り込み、ＣＰＵ２３に出力する。ＣＰＵ２３は、入力インタフェース部２２から出力された映像信号に対し圧縮符号化処理を施すことでＥＳを生成し、ペイロード部としてＲＡＭ２４の然るべき領域に格納する。そして、このＥＳからＰＥＳを生成し、アダプテーションフィールドの必要性などの解析を行った後にＴＳヘッダ部を生成してＲＡＭ２４に格納し、必要に応じてアダプテーションを生成してＴＳヘッダ部に続くＲＡＭ２４のメモリエリアに格納する。
【００１６】
また、ＣＰＵ２３には、Ｒｅｓｙｎｃ  Ｍａｒｋｅｒ挿入部２３１が設けられている。このＲｅｓｙｎｃ  Ｍａｒｋｅｒ挿入部２３１は、ＲＡＭ２４に格納されたペイロード部内の符号化データ量を算出して、ＭＰＥＧ４で規定されるＲｅｓｙｎｃ  Ｍａｒｋｅｒを生成し、このＲｅｓｙｎｃ  ＭａｒｋｅｒをＲＡＭ２４中のペイロード部のデータ先頭位置に挿入する。
【００１７】
以後、ＣＰＵ２３は、出力インタフェース部２５に対してＲＡＭ２４の転送開始アドレス及び転送バイト数を指定する。
出力インタフェース部２５はＣＰＵ２３から指定されたアドレスから指定されたバイト数だけ、ＲＡＭ２４のデータをＭＰＥＧ２のＴＳパケットとして出力する。
【００１８】
次に、上記構成における処理動作について説明する。
図３はＭＰＥＧ２のＴＳの構造を示すものである。ＴＳヘッダは４バイトの固定長で、同期バイト（ｓｙｎｃ  ｂｙｔｅ）と呼ばれる固定パターンの開始コードから始まり、アダプテーションフィールドの有無を示すアダプテーションフィールド制御情報などが存在する。アダプテーションフィールドはＴＳヘッダのアダプテーションフィールド制御値が２または３のときだけ存在する可変長のフィールドで、システムの時間情報を示すＰＣＲなどが存在する。ＴＳのバイト数は１８８バイトの固定長なので、１８８からＴＳのヘッダ長（４バイト）とアダプテーションフィールドのバイト数を引いた値がペイロード部のバイト数となる。ペイロード部にはＥＳそのものとＲｅｓｙｎｃ  Ｍａｒｋｅｒが存在するが、一つのＴＳパケットのペイロード部で全てのＥＳが伝送できない場合には、それに続くＴＳパケットのペイロード部に残りのＥＳを乗せて伝送する。
【００１９】
また、上記複数のＴＳパケットは、ＧＯＰ構造を構成している。参考に、ＧＯＰ構造を図４に示す。このＧＯＰ構造ではフレーム内符号化によるＩ（Ｉｎｔｒａ）ピクチャー、フレーム順方向予測符号化によるＰ（Ｐｒｅｄｉｃｔｉｖｅ）ピクチャー、双方向予測符号化によるＢ（Ｂｉｄｉｒｅｃｔｉｏｎａｌｌｙ  ｐｒｅｄｉｃｔｉｖｅ）ピクチャーの３タイプのピクチャーを有する。その配列順序はＩＢＢＰＢＢＰ…となっており、一つのＧＯＰ期間では通常１５フレームに設定されている。このＧＯＰ構造がくずれると、映像再生時に画面が乱れたり、再生が途絶える等の不具合を生じる。このため、受信装置においてＧＯＰ構造のパターンを崩さないようにする必要がある。
上記構成による符号化装置１１において、放送すべき映像信号は、入力インタフェース部２２によって取込まれて、ＣＰＵ２３に転送される。
【００２０】
図５は、ＣＰＵ２３の処理手順を示すフローチャートである。
ＣＰＵ２３は、入力された映像信号をＥＳに変換してＲＡＭ２４の然るべき領域に格納し（ステップＳＴ５ａ）、このＥＳの解析処理、ＰＥＳヘッダの生成、ＴＳヘッダやアダプテーションフィールドの内容算出を行って、ＲＡＭ２４にそれら内容を書き込む（ステップＳＴ５ｂ）。
【００２１】
続いて、ＣＰＵ２３はペイロード部に入れるＥＳの符号化データ量の算出を行い、Ｒｅｓｙｎｃ  Ｍａｒｋｅｒをペイロード部に入れるＥＳの先頭位置に挿入する（ステップＳＴ５ｃ）。
以後、ＣＰＵ２３は、出力インタフェース部２５に対してＲＡＭ２４の転送開始アドレス（ＲＡＭ２４中のＴＳヘッダの先頭位置）及び転送バイト数（１８８バイト）を指定する（ステップＳＴ５ｄ）。すると、出力インタフェース部２５はＣＰＵ２３から指定されたアドレスから指定されたバイト数だけ、ＲＡＭ２４のデータをＭＰＥＧ２のＴＳパケットとして出力する。
【００２２】
このＴＳパケットは、誤り訂正付加装置１２によって誤り訂正符号が付加されて、放送サービスエリアに送出される。そして、放送サービスエリアの受信装置において、受信したＴＳパケットに誤りが生じた場合に、一旦誤り訂正符号により誤り訂正を行うが、この誤り訂正符号を用いてもＴＳパケットが復元できない場合には、次のＴＳパケットのペイロード部に挿入されたＲｅｓｙｎｃ  Ｍａｒｋｅｒを検出し、この検出タイミングで当該ＴＳパケットの復元を行えるようになる。これにより、ＴＳパケットに如何なる誤りが発生したとしても、次のＴＳパケットから復元可能であるので、画面の乱れや再生の途絶え等の不具合を極力軽減できる。
【００２３】
以上のように上記実施形態では、誤り訂正付加装置１２によるＴＳパケットに対する誤り訂正符号の付加処理に先立ち、符号化装置１１にて映像信号から生成したＴＳパケットのペイロード部のデータ先頭にＭＰＥＧ４で規定されるＲｅｓｙｎｃ  Ｍａｒｋｅｒを挿入するようにしている。これにより、受信装置側で誤り訂正符号によりＴＳパケットの誤り訂正が不可能な場合に、ＧＯＰ構造のＩピクチャーまでの複数のＴＳパケットが廃棄されることがなく、誤りが生じたＴＳパケットの次のＴＳパケットに挿入されたＲｅｓｙｎｃ  Ｍａｒｋｅｒを利用してＴＳパケットのペイロード部の符号化データを復号することができる。
【００２４】
従って、受信装置側におけるＴＳパケット内の符号化データの復号処理を、誤り訂正符号のみに頼ることなく、ＴＳパケット内のＲｅｓｙｎｃ  Ｍａｒｋｅｒを利用することで、ＴＳパケットに如何なる誤りが生じてもパケット単位で復号することができ、これにより映像再生時に、画面が乱れたり、再生が途絶える等の不具合を解消でき、復号効率を高めることができる。
【００２５】
なお、この発明は上記実施形態に限定されるものではない。例えば上記実施形態では、ＭＰＥＧ２で規定されるＴＳパケットのペイロード部のデータ先頭にＭＰＥＧ４で規定されるＲｅｓｙｎｃ  Ｍａｒｋｅｒを挿入する例について説明した。しかし、これに限ることはなく、ＭＰＥＧ以外に、例えばヘッダ領域及び符号化データを入れる情報領域を備える規格化されたストリームパケットであれば、情報領域のデータ先頭にストリームパケットを復元するときに該ストリームパケットの情報領域の符号化データを特定する再同期ワード情報を挿入するようにしてもよい。
その他、ストリームパケット送出装置の構成、符号化装置の構成、Ｒｅｓｙｎｃ  Ｍａｒｋｅｒの挿入方法等についても、この発明の要旨を逸脱しない範囲で種々変形して実施できる。
【００２６】
【発明の効果】
以上詳述したようにこの発明によれば、誤り訂正符号により訂正不可能なＴＳパケットが存在した場合にも、次のＴＳパケットを確実に復元し得るストリームパケット送出装置及びストリームパケット送出方法を提供することができる。
【図面の簡単な説明】
【図１】この発明に係わるストリームパケット送出装置の一実施形態を示すブロック図。
【図２】図１に示した符号化装置の具体的構成を示すブロック図。
【図３】同実施形態におけるＭＰＥＧ２のＴＳの構造を示す図。
【図４】同実施形態におけるＧＯＰ構造を示す図。
【図５】同実施形態における符号化装置内のＣＰＵの処理動作を説明するために示すフローチャート。
【符号の説明】
１１…符号化装置、１２…誤り訂正付加装置、２１…データバス、２２…入力インタフェース部、２３…ＣＰＵ、２４…ＲＡＭ、２５…出力インタフェース部、２３１…Ｒｅｓｙｎｃ  Ｍａｒｋｅｒ挿入部。
【図１】
2005064574.tif 000003
【図２】
2005064574.tif 000004
【図３】
2005064574.tif 000005
【図４】
2005064574.tif 000006
【図５】
2005064574.tif 000007